(57)【特許請求の範囲】
【請求項１】
パネル材の周縁に設けられる照明装置であって、
前記パネル材の辺部に沿って長く背面側に前記パネル材の側縁部が取り付けられるベース部材と、
前記ベース部材の前側に取り付けられて前記ベース部材の長手方向に複数並ぶ発光器を備え、
前記各発光器は光源及び該光源からの光を側端面から内部に導入して前面から照射する導光材を有し、
これら複数の発光器が前記導光材の前記側端面同士を離間して対向させた状態で隣接配置され、この離間した領域で構成された中間領域に、該中間領域に向けて前記導光材の前記側端面から照射された光の進行方向を前方に変えるための前方照射部が設けられ、前記中間領域の前側に前記前方照射部から前方に向けて照射された光を通過させる光通過部が設けられ、
前記各発光器は、
前記ベース部材の前側に取り付けられて前記ベース部材に沿って長いケース部材と、
前記ケース部材に装着される前記導光材と、
前記ケース部材の長手方向における前記中間領域側の端部に装着されて前記導光材の前記光が照射される側端面を覆うキャップ部材を有し、
前記隣接配置される両発光器の前記キャップ部材の間に照射用隙間が形成され、前記キャップ部材に前記導光材の前記側端面から照射された光を前記照射用隙間へと通過させる透光部が形成され、前記前方照射部として、前記ベース部材の前記照射用隙間に露出する部分に、前記透光部を介して前記照射用隙間に照射された光を前方に向けて反射する反射部が形成され、前記照射用隙間の前側に前記照射用隙間の前方を覆う透光性を有する隙間カバーが配設され、該隙間カバーで前記光通過部が構成され、前記隙間カバーの両側縁に前記隣接配置された前記各発光器の側縁が当接されることを特徴とする照明装置。
【発明の詳細な説明】
【技術分野】
【０００１】
本発明は照明装置に関するものである。
【背景技術】
【０００２】
従来から、図１１のように、光源２１と、側端面から内部に導入された光源２１の光をその前面から照射する導光材２２を備えた面状の照明装置１が知られている（たとえば特許文献１参照）。このような照明装置１は単体で用いることもできるが、該照明装置１を発光器とし、これを複数個隣接して配設するとより大きな領域を光らせることができる。
【０００３】
しかしながら、室内面などの発光器の設置予定箇所と発光器自身の寸法との兼ね合いのなかで、隣接配置した複数の照明装置１の間に隙間が形成されてしまうと、複数の発光器が前方に発光する中で、発光しない隙間が存在することとなり、光ムラを生じさせてしまうという問題があった。
【特許文献１】特開２００１−１５５５２６号公報
【発明の開示】
【発明が解決しようとする課題】
【０００４】
本発明は上記の点に鑑みてなされたものであり、その目的とするところは、隣接する発光器の間にできた隙間においても前方への発光性能を持たせて光ムラの発生を抑制することのできる照明装置を提供することにある。
【課題を解決するための手段】
【０００５】
前記課題を解決するために本願の請求項１に係る照明装置は、以下の構成を有している。パネル材３の周縁に設けられる照明装置であって、前記パネル材３の辺部３ａに沿って長く背面側に前記パネル材３の側縁部が取り付けられるベース部材７と、前記ベース部材７の前側に取り付けられて前記ベース部材７の長手方向に複数並ぶ発光器５を備える。前記各発光器５は光源２１及び該光源２１からの光を側端面から内部に導入して前面から照射する導光材２２を有する。これら複数の発光器５が前記導光材２２の前記側端面同士を離間して対向させた状態で隣接配置される。この離間した領域で構成された中間領域１２に、該中間領域１２に向けて前記導光材２２の前記側端面から照射された光の進行方向を前方に変えるための前方照射部が設けられる。前記中間領域１２の前側に前記前方照射部から前方に向けて照射された光を通過させる光通過部が設けられる。前記各発光器５は、前記ベース部材７の前側に取り付けられて前記ベース部材７に沿って長いケース部材９と、前記ケース部材９に装着される前記導光材２２と、前記ケース部材９の長手方向における前記中間領域１２側の端部に装着されて前記導光材２２の前記光が照射される側端面を覆うキャップ部材２０を有する。前記隣接配置される両発光器５の前記キャップ部材２０の間に照射用隙間３８が形成され、前記キャップ部材２０に前記導光材２２の前記側端面から照射された光を前記照射用隙間３８へと通過させる透光部が形成される。前記前方照射部として、前記ベース部材７の前記照射用隙間３８に露出する部分に、前記透光部を介して前記照射用隙間３８に照射された光を前方に向けて反射する反射部３３が形成される。前記照射用隙間３８の前側に前記照射用隙間３８の前方を覆う透光性を有する隙間カバー３１が配設され、該隙間カバー３１で前記光通過部が構成される。前記隙間カバー３１の両側縁に前記隣接配置された前記各発光器５の側縁が当接される。
【０００６】
これによると、隣接配置した照明装置１の間の、導光材２２への光の導入方向における該導光材２２の側端面が離間して対向した中間領域１２には、導光材２２内に導入された光源２１の光を効率良く至らせることができるのであり、そして前記中間領域１２に設けた前方照射部によって該中間領域１２に前方への発光性能を持たせることができ、光ムラの発生を抑制できる。また、ケース部材９の長手方向における中間領域１２側の端部に装着するキャップ部材２０に設けた透光部を通して導光材２２内を通った光の一部を照射用隙間３８に導出させて照射用隙間３８から前方に照射することができ、簡単な構造により中間領域１２に発光性能を持たせることができて光ムラの発生を抑制できる。また、透光性を備えた隙間カバー３１で照射用隙間３８を覆い、照射用隙間３８内にゴミが溜まることを防止できて、該ゴミが照射光に影を落とす恐れを回避して光ムラの発生を抑制できる。また、隙間カバー３１の脚部３２の両側縁に各発光器５の側縁を当接したので、該隙間カバー３１を隣接する発光器５間のスペーサとして利用できて、発光器５の配置にかかる正確性を確保できる。
【発明の効果】
【００１７】
本発明にあっては、隣接する発光器の間にできた隙間においても前方への発光性能を持たせて光ムラの発生を抑制することができる、という利点を有する。
【発明を実施するための最良の形態】
【００１８】
以下、本発明を添付図面に示す実施形態の一例に基いて説明する。
【００１９】
図１（ａ）には、本例の照明装置１を設けた室内装飾物３０を示してある。
【００２０】
室内装飾物３０は、建物の天井面や壁面等の室内面２にパネル材３を添わせて配設し、パネル材３の周縁に照明装置１を設けたものであり、パネル材３を囲む枠状の照明装置１にて図２中矢印イに示す室内装飾物３０の外側に光を照射してパネル材３の周囲の室内面２を照らし、これにより、間接照明にてパネル材３の室内面２からの浮き上がりを強調した光の演出を行い、立体的で高級感のある良好な室内外観を現出するものである。なお、図１（ａ）の多数の点を付して示した領域は照明装置１の光の照射領域である。
【００２１】
なお、以下の説明では、便宜上、図２中イに示す照明装置１（発光器５）の光の照射方向を側外方向と称し、また、矢印ロに示すパネル材３の中央に向く方向を側内方向、矢印ハに示す室内空間に向く方向を表方向、矢印ニに示す室内面２に向く方向を裏方向と称する。
【００２２】
パネル材３は木製や金属製等、適宜材質の板材を用いることができ、本例では複数枚の小パネル材３´を並設して互いに嵌合等で連結させて一枚の矩形状のパネル材３を形成している。
【００２３】
照明装置１は、パネル材３を囲む矩形状の枠材４と、枠材４の外周縁に沿って並設した発光器５と、発光器５間の隙間を覆う隙間カバー３１とで構成される。
【００２４】
枠材４は、樹脂製または金属製であり、パネル材３の各辺部３ａに夫々設けた長尺の辺枠部４ａと、辺枠部４ａの切れ目１６となるパネル材３の各コーナー部３ｂに設けたコーナーカバー部材６とで構成され、パネル材３の周囲を連続して囲うように設けられる。枠材４の辺枠部４ａは、図２のように、建物の室内面２に固定すると共にパネル材３の側縁部を取り付けるためのベース部材７と、辺枠部４ａの表面部を構成するカバー部材８とで構成されている。
【００２５】
発光器５は辺枠部４ａに沿って長尺なものであり、各辺枠部４ａの側外面に複数個（図示例では２個）並べて取り付けられる。
【００２６】
各発光器５は、辺枠部４ａに沿って取り付けられる長尺なケース部材９と、該ケース部材９に装着した長尺な導光材２２と、ケース部材９の長手方向の両端部に装着したキャップ部材２０と、キャップ部材２０に設けた光源２１を備えている。光源２１を発光させることで、該光源２１の光を導光材２２の側端面から導入し、これにより導光材２２を側外方に向けて発光させる。
【００２７】
ベース部材７は、略Ｉ字状の縦断面を有すると共にパネル材３の辺部３ａに亙る長さを有する長尺型枠材である。このベース部材７は釘やビス等の固着具を用いて室内面２に固定される。ベース部材７の側内部には内側に開口するパネル取付用凹所１０が設けられ、パネル材３の側端部を係合してパネル材３を支持する。ベース部材７の側外部にはケース部材９を着脱させるケース用係合部１１が設けられており、ベース部材７の表面部にはカバー部材８を着脱させるカバー用係合部１４が設けられている。
【００２８】
ケース部材９は、図２，３のように、略工字状の縦断面を有する長尺型枠材であり、側外方に開口する外側凹条部１８と側内方に開口する内側凹条部１９とが背中合わせ状に設けられている。
【００２９】
内側凹条部１９の内部は配線収納スペースＳとして利用され、ここには光源２１への給電線が収めて配線される。
【００３０】
内側凹条部１９の内側開口１９ａの両縁には、先端が自由端となる突起状のケース用被係合部２５が設けられている。内側凹条部１９は内側開口１９ａ側が幅狭になるように形成され、内側凹条部１９の内部の配線収納スペースＳに配線した給電線が内側開口１９ａから飛び出る恐れを低減させている。
【００３１】
導光材２２は外側凹条部１８の外側開口１８ａの両縁に形成された抜止め凸部２３によって抜け止めがされた状態で外側凹条部１８の内部に収めて配設される。該導光材２２は、光源２１からの光を長手方向の端面から内部に導入して導光パターン２４で反射させて側外方に照射するものである。
【００３２】
前記導光パターン２４は導光材２２の内方端面における表側域に凹凸を刻設する等して形成され、この導光パターン２４で導光材２２の内部に導入された光源２１からの光を側外方に向けて反射させて照射させる。導光材２２内の光を側外方に向けて照射させる手段としては、前記導光パターン２４の代わりに、導光材２２の内方端面に貼着等して添設した反射部材などの他の手段で構成することもできる。
【００３３】
キャップ部材２０はケース部材９の長手方向の両端を塞ぎ且つ導光材２２の長手方向の端面を覆うようにケース部材９の端部に装着される。各キャップ部材２０は、ビス等の固定具２７（図３（ｃ））をキャップ部材２０に挿通させ、該固定具２７をケース部材９に設けた挿着孔２８に挿着してケース部材９に装着される。
【００３４】
発光器５の長手方向の両端部に設けたキャップ部材２０のうち、両方又は一方のキャップ部材２０には、ＬＥＤなどの発光機器からなる光源２１を実装した基板３５が取り付けられている。
【００３５】
図中２０ａは光源２１を設けたキャップ部材２０であり、２０ｂは光源２１を設けていないキャップ部材２０である。ここで、図３に示すように、発光器５の一方のキャップ部材２０にのみ光源２１を設けた場合には、他方のキャップ部材２０ｂは前記一方のキャップ部材２０ａに設けた光源２１から導光材２２の内部を経て至った光を再び導光材２２の内部に反射させる。
【００３６】
このように光源２１をキャップ部材２０に設けることで、キャップ部材２０ａをケース部材９に装着するだけで、該キャップ部材２０ａに設けた光源２１を導光材２２の側端面に対向させて隣接して配置できる。なお、図３（ｄ）中３６は光源２１を設けた基板３５に付属する給電線接続コネクタである。
【００３７】
各発光器５は、ケース部材９のケース用被係合部２５をベース部材７のケース用係合部１１に係合させることで、ベース部材７の側外方に添うように配設される。ここで、突起状のケース用被係合部２５は、内側凹条部１９の凹側面部位も利用して大きな弾性を備えたものであり、ケース用係合部１１との係合作業の良好な作業性を確保している。
【００３８】
カバー部材８は、面一状の表面を有する長尺の板状部材であり、その裏面部にはカバー用被係合部１３が設けられている。カバー部材８の両幅端部には室内面２側に折り曲げた折曲縁１５が形成され、リブ効果により剛性強度が高められている。そして、このカバー部材８は、カバー用被係合部１３をベース部材７のカバー用係合部１４に係合させることで、ベース部材７及び発光器５の表面側を覆うように配設される。
【００３９】
ところで、本例の室内装飾物３０では、図１（ｂ）のように、辺枠部４ａに亙るベース部材７に対し、長尺な発光器５を一列状に複数並べて設けてある。ここで、隣接する発光器５のうち、一方の発光器５の導光材２２の端面と、これに対向する他方の発光器５の導光材２２の端面とが離間してこの間に中間領域１２が存在すると、当該中間領域１２が暗くなって光ムラが発生する恐れがあるが、本例では該光ムラの発生を抑制するための工夫を施してあり、以下に詳述する。なお、以下の説明では、前記照明装置１の光の照射方向である矢印イに示す側外方向を照明装置１（発光器５）の前方向として説明する。
【００４０】
本例では、隣接する発光器５のうち、一方の発光器５のキャップ部材２０と、これに対向する他方の発光器５のキャップ部材２０の間に前方（側外方）に開口する照射用隙間３８を形成し、該照射用隙間３８に臨むキャップ部材２０に、導光材２２の内部を通って側端面から略垂直に照射された光源２１からの光を通過させる透光部を形成している。
【００４１】
透光部は本例では図３（ｃ）のように照射用隙間３８に通じる貫通窓２９で構成しているが、キャップ部材２０をアクリルやポリカーボネイト等の透光性のある透明樹脂材料で形成することでもこれを構成できる。なお、透光部は照射用隙間３８に臨むキャップ部材２０の両方に形成しても良いし、一方のキャップ部材２０にのみ設けても良い。
【００４２】
また、照明装置１は、前記透光部を介して照射用隙間３８に導出された光の進行方向を前方に変える前方照射部と、中間領域１２の前側に設けられて前記前方照射部から前方に向けて照射された光を通過させる光通過部を備えている。
【００４３】
具体的には、中間領域１２に設けた各キャップ部材２０の後端部から対向する他方のキャップ部材２０側に向けて反射部３９を一体に突出し、また、ベース部材７の一部を両キャップ部材２０の反射部３９の間の隙間を介して照射用隙間３８に露出させ、これら各キャップ部材２０やベース部材７にて、前記透光部を介して照射用隙間３８に導出された光を前方に向けて反射するようにしている。つまり、本例では、前記各キャップ部材２０やベース部材７で前方照射部が構成されている。
【００４４】
また、照射用隙間３８に光の影となり得るゴミが溜まらないようにするために、照射用隙間３８には透光性を有する隙間カバー３１がその前方を覆うように被着してあり、本例ではこの隙間カバー３１にて光通過部を構成している。
【００４５】
このように透光部を通して導光材２２内を通った光を照射用隙間３８に導出させ、この光の進行方向を前方照射部にて前方に変え、これを光通過部を介して中間領域１２の前方へと光を照射することで、前記光ムラの発生を抑制できる。
【００４６】
本例の隙間カバー３１には拡散材が混入された乳白材が用いられており、前方照射部から前方に照射する光を隙間カバー３１内で拡散させ、この点でも光ムラを無くする工夫が為されている。
【００４７】
また、隙間カバー３１は前面板から背方に脚部３２を突設して照射用隙間３８に臨む一対のキャップ部材２０やベース部材７に係合などして着脱自在に取り付けられるが、脚部３２の両側縁には前記一対のキャップ部材２０が当接するようにされ、つまり、該隙間カバー３１を隣接する発光器５間のスペーサとして利用して発光器５の配置にかかる正確性の確保も図られている。
【００４８】
なお、前記隙間カバー３１を設けずに照射用隙間３８をそのまま側外方（前方）に開口させ、該照射用隙間３８の前開口を光通過部としても良いものとする。
【００４９】
また、透光部から照射用隙間３８に導出された光を前方に効率よく照射するため、以下の工夫を施しても良い。
【００５０】
図４の各例では照射用隙間３８に露出するベース部材７の隙間露出部に反射部３３を形成している。
【００５１】
反射部３３は図４（ａ）の例では凹曲面状反射面３３ａが、図４（ｂ）の例ではやや裏方に面するような傾斜状反射面３３ｂが構成している。このような反射面３３ａ，３３ｂによると前方のうちの更に所望の方向に光を集めたり指向性を高めたりして照射できる利点がある。
【００５２】
また、図４（ｃ）の例ではベース部材７の隙間露出部に透光部に対向してやや前方に面する反射面を備えた反射部３３を突設させている。詳しくは、この反射部３３は反射面が左右に一対備えらえた断面三角形状の突条部３３ｃで構成されている。この例では突条部３３ｃはベース部材７と一体成形されているが、ベース部材７とは別部材にしてベース部材７の隙間露出部に取り付けてもよい。
【００５３】
また、前方照射部として、図５のように、キャップ部材２０を透光部材で構成すると共に、該キャップ部材２０の他方のキャップ部材２０側の面である外側面に導光材２２内を通った光の一部を前方に反射させるキャップ反射面２６を形成してもよい。この例では、中間領域１２に臨むキャップ部材２０の外側面形状を側内方向に面する傾斜面状に形成し、この傾斜面状のキャップ部材２０の外側面に鏡面材や光反射率の高い白色面材などの反射面材３４を貼着させてキャップ反射面２６を形成している。
【００５４】
また、前記各例では、導光材２２の側端面から照射された光を照射用隙間３８に照射し、これを前方照射部にて照射用隙間３８の前方に向けて反射するようにしたが、導光材２２の側端面から中間領域１２に照射された光をキャップ部材２０にて前方に向けて屈折させ、これにより中間領域１２の前方に光を照射するようにしても良い。以下、図６乃至図１０に基づいてこの例につき説明する。なお、以下の説明では前記各例と同一の構成については同一の番号を付与し、重複する説明は省略する。
【００５５】
図６に示すように各キャップ部材２０は透光部材で構成され、対向する両キャップ部材２０の外側面同士は突き合わせてある。
【００５６】
各キャップ部材２０は光源２１を実装した基板３５を取り付けたものである。基板３５は各キャップ部材２０内に配設してあり、キャップ部材２０の対応する導光材２２側に位置している。
【００５７】
各キャップ部材２０の前側及び表面側の壁部の一部は他の壁部よりも対応する導光材２２側に突出した突部４２となっている。各キャップ部材２０は、前側の突部４２を導光材２２の前面に沿わせると共に表面側の突部４２をケース部材９の表面に沿わせ、この状態で、図７に示すキャップ部材２０の挿通孔４１に挿通した固定具２７をケース部材９の挿着孔２８に装着することでケース部材９に取り付けられる。
【００５８】
図６に示すように、各発光器５の側端面から照射された光は基板３５に反射し、また、基板３５に実装した光源２１からの光は導光材２２の側端面で一部反射し、これら反射した光は各キャップ部材２０の前側の壁部を透過して前方に照射される。
【００５９】
また、図１０に示すように、各キャップ部材２０の背面には背方に向けてＵ字状の配線溝部４８を突設してあり、該配線溝部４８の内側には配線収納スペースＳを通して給電線接続コネクタ３６に接続される給電線４９が保持される。このように給電線４９を保持することで、発光器５をベース部材７に取り付ける施工時において、給電線４９が発光器５とベース部材７との間に噛み込むことを防止できる。
【００６０】
また、本例の照明装置１は、両キャップ部材２０間の継ぎ目からも前方に向けて光が照射されるようになっている。
【００６１】
具体的には、各キャップ部材２０の外側面の前端部、即ち、外側面と前面とでなす角部は、前側程両キャップ部材２０の間隔が大きくなるよう湾曲させた弧状の光導出面４５としてあり、両光導出面４５の間には前方に開口した略三角形状の隙間４６が形成されている。
【００６２】
図７に示すように、各キャップ部材２０の基板３５の前縁の一部は、キャップ部材２０の蓋部から突出した位置決め用突起４４に当接させており、これにより各キャップ部材２０の前側の壁部と、この内側に配置された基板３５の前縁との間には間隙４３が形成されている。
【００６３】
図６に示すように、各キャップ部材２０の間隙４３は導光材２２の側端面の前端部に対向し、また、光導出面４５の後端部の側方に位置している。
【００６４】
このため、各導光材２２の側端面から照射された光は前記間隙４３を通過してキャップ部材２０に導入され、キャップ部材２０の内部を進行して光導出面４５に至る。そして、このように光導出面４５に到達した光は弧状に湾曲した光導出面４５によって屈折されて前方に照射され、この光は隙間４６を通過して前方に照射される。つまり、本例では各キャップ部材２０の光導出面４５が前方照射部を構成し、また、隙間４６が光通過部を構成している。
【００６５】
なお、本例でも、各発光器５の両端部に設けたキャップ部材２０のうち両方又は一方のキャップ部材２０に光源２１が設けてあれば良いものとする。つまり、前記導光材２２の側端面から間隙４３に向けて照射される光は、発光器５の中間領域１２と反対側の端部に設けた光源２１から照射された光であっても良いし、また、図３の例と同様に、中間領域１２側の端部に設けた光源２１からの光が反対側の端部に設けたキャップ部材２０にて反射された光であっても良い。
【００６６】
また、図７に示すように本例の各キャップ部材２０の蓋部には対応する導光材２２側に向けて突出するストッパ部４７を形成してある。該ストッパ部４７の突出端面は導光材２２の側端面に当接しており、振動等が生じて導光材２２が基板３５に接触することを防止している。
【００６７】
なお、前記各例では、パネル材３の周枠としての枠材４に取り付ける長尺の照明装置１によってパネル材３の周囲を照らす室内装飾物３０を例に挙げて本発明を説明したが、本発明は、背景技術で説明したような面状の発光器５（図１１参照）を複数個隣接して配置する場合にも適用できるのは、言うまでもない。
【図面の簡単な説明】
【００６８】
【図１】本発明の実施の形態の例の室内装飾であり、（ａ）は全体斜視図であり、（ｂ）は（ａ）のＡ部分の分解斜視図である。
【図２】図１（ａ）のＢ−Ｂ線の縦断面図である。
【図３】同上の発光器であり、（ａ）は全体斜視図、（ｂ）は分解斜視図、（ｃ）は（ａ）のＣ部分の斜視図であり、（ｄ）は（ａ）のＣ部分を別の方向から見た一部を透視した斜視図である。
【図４】実施形態の他例であって反射部の各例を説明する説明図であり、（ａ）（ｂ）は要部の概略縦断面図であり、（ｃ）は要部の概略横断面図である。
【図５】実施形態の更に他例であって要部の概略横断面図である。
【図６】実施形態の更に他例であって要部の概略横断面図である。
【図７】同上の基板を設けたキャップ部材の斜視図である。
【図８】（ａ）は同上の発光器の端部の斜視図であり、（ｂ）は分解斜視図である。
【図９】同上の発光器の断面図である。
【図１０】同上の給電線を給電線接続コネクタに接続した状態を示す斜視図である。
【図１１】従来技術の例の面状発光器の正面図である。
【符号の説明】
【００６９】
１  照明装置
２  室内面
３  パネル材
４  枠材
５  発光器
７  ベース部材
８  カバー部材
９  ケース部材
１２  中間領域
２１  光源
２２  導光材
２６  キャップ反射面
２９  貫通窓
３０  室内装飾物
３１  隙間カバー
３３  反射部
３４  反射面材
３８  照射用隙間
【図１】
0005113673.tif 000002
【図２】
0005113673.tif 000003
【図３】
0005113673.tif 000004
【図４】
0005113673.tif 000005
【図５】
0005113673.tif 000006
【図６】
0005113673.tif 000007
【図７】
0005113673.tif 000008
【図８】
0005113673.tif 000009
【図９】
0005113673.tif 000010
【図１０】
0005113673.tif 000011
【図１１】
0005113673.tif 000012